(57)【要約】【課題】製造コストを低減したレンズ付きフイルムユニット及びその製造方法を提供する。【解決手段】フイルムカウンタ窓１４は、前カバー３１と後カバー３２が接合された時に形成され、溶着面３３ａが設けられた開口３３と、球面レンズ３４とから構成される。前カバー３１と後カバー３２は、不透明な黒色のプラスチックで形成されており、レーザ光吸収プラスチックである。また、球面レンズ３４は、透明なプラスチックで形成されており、レーザ光透過プラスチックである。レーザ光３５は、球面レンズ３４側から照射されて、球面レンズ３４を透過して溶着面３３ａにて吸収されて、溶着面３３ａは溶融熱により溶け出す。このレーザ光３５の照射が溶着面３３ａの全体に亘って行われて、固定治具等で外から圧力を加えることで、球面レンズ３４が溶接される。【選択図】　　　　図２
2004020867.tif 000002
【特許請求の範囲】
【請求項１】
複数の部品で構成されるレンズ付きフイルムユニットにおいて、
前記複数の部品を透明または半透明のレーザ光透過プラスチックで形成される第１構成部品と、不透明のレーザ光吸収プラスチックで形成される第２構成部品とで構成し、前記第１構成部品側から照射されたレーザ光が、前記第１構成部品を透過して、前記第２構成部品にて吸収されて熱が発生し、少なくとも前記第２構成部品が溶融されて、前記第１構成部品が前記第２構成部品に溶接されることを特徴とするレンズ付きフイルムユニット。
【請求項２】
前記第２構成部品はの外装カバーを形成する前カバーであり、前記第１構成部品は、前記前カバーに取付けられる化粧カバーであることを特徴とする請求項１記載のレンズ付きフイルムユニット。
【請求項３】
前記第１構成部品はファインダレンズであり、前記第２構成部品は、前記ファインダレンズが取付けられるファインダ枠であることを特徴とする請求項１記載のレンズ付きフイルムユニット。
【請求項４】
前記第１構成部品はフイルムカウンタ窓を構成するレンズであり、前記第２構成部品は前記レンズが取付けられる外装カバーであることを特徴とする請求項１記載のレンズ付きフイルムユニット。
【請求項５】
前記第１構成部品は撮影レンズであり、前記第２構成部品は前記撮影レンズが取付けられるレンズ枠であることを特徴とする請求項１記載のレンズ付きフイルムユニット。
【請求項６】
複数の部品で構成されるレンズ付きフイルムユニットの製造方法において、
透明または半透明のレーザ光透過プラスチックで形成される第１構成部品を、不透明のレーザ光吸収プラスチックで形成される第２構成部品に当接させ、前記第１構成部品側からレーザ光を照射して、レーザ光が前記第１構成部品を透過して、前記第２構成部品にて吸収されて熱が発生し、少なくとも前記第２構成部品が溶融されて、前記第１構成部品が前記第２構成部品に溶接されることを特徴とするレンズ付きフイルムユニットの製造方法。
【発明の詳細な説明】
【０００１】
【発明の属する技術分野】
本発明は、レンズ付きフイルムユニットに関し、さらに詳しくは、構成部品をレーザ光によるプラスチック溶接を利用して溶接したレンズ付きフイルムユニットに関する。
【０００２】
【従来の技術】
予めフイルムが装填された状態で販売されているレンズ付きフイルムユニットは、撮影後はフイルムを取り出すことなく、そのままの状態で現像取扱店に出せば良いという簡便さと、低価格であることから、一般に広く利用されている。このため、レンズ付きフイルムユニットは消費者に対して低価格で提供する必要があり、製造コストを低く抑える様々な工夫が施されている。
【０００３】
レンズ付きフイルムユニット本体の前カバーには、化粧カバーが取付けられることが多い。しかし、接着剤やビスを使用して取付作業を行うと作業時間が長くなり、製造コストが高くなる。このため、化粧カバーに係合爪を設けて、前カバーに設けた係合穴に係合させることにより取付けを行って製造コストを抑えている。
【０００４】
また、対物ファインダレンズ及び接眼ファインダレンズは、それぞれのファインダレンズに設けたフランジ部を、ファインダ枠に設けられた溝に差し込んで組み付ける。その後、逆さにしてもファインダレンズがズレ落ちないように、カバー部材等の他の部品で押さえている。これにより、接着剤や特殊な部品等を使用せずに取付けを行うことが可能である。
【０００５】
さらに、撮影レンズの組み付けについては、撮影レンズをレンズ枠に設置して、レンズ押さえ部品をレンズ枠に爪係合させることにより組み付けられている。このため、撮影レンズの組み付け作業は簡単に手間を掛けずに行うことが可能であり、製造コストの低減に寄与している。
【０００６】
また、フイルムカウンタ窓に使用される球面レンズは前カバーに接着させるか、前カバーに設けられた溝に嵌め込む構造となっており、特殊な部品を使用せずに取付けることが可能である。
【０００７】
【発明が解決しようとする課題】
しかしながら、上記のレンズ付きフイルムユニットの部品の取付け方法では、レンズ付きフイルムユニットの前カバーには、化粧カバーに設けられた爪を係合する穴が設けられている。このような穴の部分には、成形時において、樹脂の二つ以上の流れが完全に融合しない時に、結合部に発生する線状のむらであるウェルドラインが発生し易い。また、外観部品である前カバーに、多くの穴を設けるとユニット本体内に水や埃が侵入する可能性が高くなるという問題がある。
【０００８】
また、化粧カバーは多少の凹凸が設けられている板状部品であるにもかかわらず、係合爪が設けられているため、成形時の金型にはスライドコアが必要であり、爪無しの場合と比べて金型費用が高くなる。また、成形時間も長くなることにより、成形費用も高くなるという欠点がある。
【０００９】
さらに、化粧カバーは外観を重視する部品であるため、分解用の穴が設けられない。このため、リサイクル分解時に係合爪が折れてしまい、折れた係合爪の先が他の機構部品などに挟まり、次の分解工程で不具合を発生させてしまう可能性がある。
【００１０】
この化粧カバーをレンズ付きフイルムユニット本体の前カバーに取付けるのに、接着剤を使用することも考えられる。しかし、接着剤を使用する場合は、外カバーの接着面である外周部に接着剤を塗布するが、化粧カバーと前カバーの間に可動部材が組み込まれている場合、接着剤がこれらの部品に付着した時に作動不良を発生させてしまう危険性がある。
【００１１】
また、この化粧カバーをレンズ付きフイルムユニット本体の前カバーに取付けるのに、従来のレンズ付きフイルムユニットで利用され、熱可塑性部材を溶着するのに有効な超音波溶着で行うことも考えられる。しかし、前カバーに切替え機構を組み付けた後に、その前面から覆うように化粧カバーを組み付ける場合、超音波振動を被加熱物に伝える共鳴体であるホーンを前カバー内部に挿入することが難しく、超音波溶着を行うのは困難である。また、組立手順を変更して、前カバーをユニット本体へ組み付ける工程の前に、切替え機構と化粧カバーを前カバーに取付けるようにすれば、前カバーの裏面から超音波溶着を行うことが可能であるが、この前カバーのユニット本体への組み付けに位置決めを必要とする部品が多くなり、取付作業に手間が掛かり、結果として製造コストが高くなるため有効ではない。さらに、化粧カバーの表面にホーンを押しつけた跡が傷のよう残ってしまうという問題がある。
【００１２】
また、上記したようなファインダレンズの取付方法では、ファインダレンズを取付けるファインダ枠部材の溝部分を形成するために金型のこの部分は非常に細いリブ状となり、金型強度上の問題があった。さらに、金型成形時の部品の食い付きが起こり易く、成形時間が長くなるという欠点もあった。
【００１３】
上記した撮影レンズの組み付け方法についても、撮影レンズの押さえ部品が必要なため、コストが高くなり、レンズユニットが大きくなることにより、スペース的にも不利である。
【００１４】
さらに、上記したフイルムカウンタ窓の取付方法においても、接着剤を使用する場合には、前述した化粧カバーの場合と同様の問題が発生する可能性がある。また、前カバーに溝を形成するための金型や成形工程において、前述したファインダ枠部材の場合と同様の欠点がある。
【００１５】
この問題を解決するために、最近では、フイルム巻き上げのための機構部品とファインダレンズを、上から押さえて固定する天板を設けて、この天板にフイルムカウンタ窓を形成するレンズを一体に形成する方法がとられている。この方法においては、機構部品の押さえなどを前カバーで行わせれば、フイルムカウンタ窓を形成するレンズの取付けのみが問題となるため、その対策のために天板のような大きな部品を使用することは、組立の作業性、スペース、及びコストの点で問題がある。
【００１６】
本発明のレンズ付きフイルムユニットとその製造方法は、上記事情を考慮してなされたもので、接着剤や特殊な部品を必要とせず、レーザ光によるプラスチック溶接を利用し、構成部品の取付作業を容易にして製造コストを低減したレンズ付きフイルムユニット及びその製造方法を提供することを目的とする。
【００１７】
【課題を解決するための手段】
上記問題点を解決するために、本発明のレンズ付きフイルムユニットは、複数の部品で構成されるレンズ付きフイルムユニットにおいて、複数の部品を透明または半透明のレーザ光透過プラスチックで形成される第１構成部品と、不透明のレーザ光吸収プラスチックで形成される第２構成部品とで構成し、第１構成部品側から照射されたレーザ光が、第１構成部品を透過して、第２構成部品にて吸収されて熱が発生し、少なくとも第２構成部品が溶融されて、第１構成部品が第２構成部品に溶接されることを特徴とするものである。
【００１８】
第２構成部品はの外装カバーを形成する前カバーであり、第１構成部品は、前記前カバーに取付けられる化粧カバーであることを特徴とするものである。
【００１９】
第１構成部品はファインダレンズであり、第２構成部品は、ファインダレンズが取付けられるファインダ枠であることを特徴とするものである。
【００２０】
第１構成部品はフイルムカウンタ窓を構成するレンズであり、第２構成部品はレンズが取付けられる外装カバーであることを特徴とするものある。
【００２１】
第１構成部品は撮影レンズであり、第２構成部品は撮影レンズが取付けられるレンズ枠であることを特徴とするものである。
【００２２】
本発明のレンズ付きフイルムユニットの製造方法は、透明または半透明のレーザ光透過プラスチックで形成される第１構成部品を、不透明のレーザ光吸収プラスチックで形成される第２構成部品に当接させ、第１構成部品側からレーザ光を照射して、レーザ光が第１構成部品を透過して、第２構成部品にて吸収されて熱が発生し、少なくとも第２構成部品が溶融されて、第１構成部品が第２構成部品に溶接されることを特徴とする。
【００２３】
【発明の実施の形態】
図１は、本発明を実施したレンズ付きフイルムユニット１０を示す外観斜視図である。ユニット本体１１の上面には、シャッタボタン１３、フイルムカウンタ窓１４が設けられ、前面には対物側ファインダ窓１５、撮影レンズ１６、ストロボ回路を外部からオンにするためのストロボ操作レバー１７、ストロボ光を被写体に向けて放射するためのストロボ発光窓１８、近接撮影時に使用されるミラー窓１９、及び近接撮影と通常撮影の切替えを行う切替レバー２０が設けられている。また、背面には、フイルム巻上げノブ２１の他に、不図示の接眼側ファインダ窓が設けられている。
【００２４】
このユニット本体１１は、中央に露光ユニットが設けられ、その横にストロボ装置が組み付けられた本体基部と、その前後に被せられる前カバー及び後カバーとから構成される。本実施例では、レーザ波長に対し異なる光吸収特性を有する複合プラスチック材料を接合する際に有効であるレーザ光による透過溶接を利用して、フイルムカウンタ窓に利用されるレンズ、化粧カバー、撮影レンズ、及びファインダレンズを取付けた場合について説明を行う。
【００２５】
最初に、フイルムカウンタ窓に利用されるレンズの取付けについて説明を行う。ユニット本体１１の上面に設けられたフイルムカウンタ窓１４は、図２に示すように、前カバー３１と後カバー３２が接合された時に形成される開口３３と、球面レンズ３４とから構成される。この開口３３には斜線で示す溶着面３３ａが形成されており、この溶着面３３ａに球面レンズ３４が溶接される。この溶接は、以下に説明するように、レーザ光によるプラスチックの透過溶接で行う。
【００２６】
前カバー３１及び後カバー３２は、不透明のプラスチック、例えば、黒色のプラスチックで形成されており、レーザ光吸収プラスチックである。また、球面レンズ３４は、透明なプラスチックで形成されており、レーザ光透過プラスチックである。
【００２７】
図３は、開口３３及び球面レンズ３４の断面概略図である。球面レンズ３４の下面は、開口３３に形成された溶着面３３ａに当接され、球面レンズ３４側からレーザ光３５が照射される。このレーザ光３５は、球面レンズ３４を透過して溶着面３３ａに照射される。レーザ光３５は、溶着面３３ａにて吸収されて、熱に変化して溶着面３３ａは溶融熱により溶け出す。このレーザ光３５の照射が、溶着面３３ａの全体に亘って行われ、固定治具等で外から圧力を加えることで、溶着面３３ａと球面レンズ３４が溶接される。
【００２８】
前述した前カバー３１は、その前面にも、レーザ光により化粧カバーが溶接されている。図４に示すように、前カバー３１の前面には、対物側ファインダ用開口３６、撮影レンズ用開口３７、ストロボ操作レバー用開口３８、及びストロボ発光窓１８が設けられている。
【００２９】
この前カバー３１の前面の中央部分には、切替えレバー２０が取付けられた切替板４１が、トグルばね４２を介して、近接撮影位置と通常撮影位置との間で移動自在に取付けられる。この切替板４１には、係止突起４１ａが設けられており、後述するレンズ枠に設けられた被係止突起を係止して、切替レバー２０が近接撮影モードまたは通常撮影モードに切替えられた時に、撮影レンズが溶接されたレンズ枠をレンズホルダー内で移動させる。また、切替板４１には、近接撮影モードに切替えた時にストロボ発光窓１８を覆いストロボ光を減光する減光部４２、通常撮影用ファインダ枠４３、ターゲットマークが設けられた近接撮影用ファインダ枠４４、及び撮影レンズ用開口４５が設けられている。
【００３０】
この切替板４１が、前カバー３１の前面に取付けられた後、その前面から覆うように化粧カバー５０が取付けられる。この化粧カバー５０は、反射板５１が背面から取付けられた近接撮影用ミラー窓１９、対物ファインダ窓１５、撮影レンズ窓５２、及び切替レバー２０用の開口５３が設けられている。この化粧カバー５０は、以下に説明するように、前カバー３１の前面に設けられた斜線で示す溶着面３９ａ，３９ｂ，３９ｃに溶接される。
【００３１】
前カバー３１は、前述したように、レーザ光吸収プラスチックである。また、化粧カバー５０は、例えば、青色の半透明のプラスチックで形成されており、レーザ光透過プラスチックである。この化粧カバー５０は、前カバーに３１設けられた溶着部３９ａ，３９ｂ，３９ｃに当接され、レーザ光３５が化粧カバー５０側から照射され、図３の場合と同様に溶接される。
【００３２】
次に、撮影レンズ１６の取付けについて説明を行う。前述した本体基部の上部には、周知のシャッタチャージ機構やフイルム巻き止め機構等が設けられ、本体基部の側部には、フイルムカートリッジ、及びフイルムカートリッジから引き出してロール形状にした写真フイルムを収納するカートリッジ室とフイルム収納室が設けられており、それぞれレンズ付きフイルムユニット１０の製造時点で予め組み込まれる。
【００３３】
この本体基部は、中央に露光ユニットが設けられている。図４に示すように、この露光ユニット６０の前面には、シャッタ機構６１が組み付けられており、シャッタカバー６２で覆われる。このシャッタカバー６２は、その前面にレンズホルダー６３が一体に設けられており、撮影レンズ１６が溶接されたレンズ枠６４が嵌め込まれる。この撮影レンズ１６の溶接は、以下に説明するように溶接される。
【００３４】
撮影レンズ１６は、透明なプラスチックで形成されており、レーザ光透過プラスチックである。また、レンズ枠６４は、不透明なプラスチック、例えば、黒色のプラスチックで形成されており、レーザ光吸収プラスチックである。このレンズ枠６４には、斜線で示す溶着面６４ａが設けられており、この溶着面６４ａに撮影レンズ１６を当接させ、撮影レンズ１６側からレーザ光３５を照射して、図３の場合と同様に溶接される。
【００３５】
また、露光ユニット６０の上部には、図５に示すように、対物レンズ７１及び接眼レンズ７２が組み付けられたファインダ枠７０が露光ユニット６０に一体に組み付けられている。ファインダ枠７０には、対物レンズ７１が溶着される溶着面７０ａ，７０ｂと、接眼レンズ７２が溶着される溶着面７０ｃ，７０ｄが設けられている。対物レンズ７１及び接眼ファインダレンズ７２は、透明なプラスチックで形成されており、レーザ光透過プラスチックである。また、ファインダ枠７０は、不透明なプラスチック、例えば、黒色のプラスチックで形成されており、レーザ光吸収プラスチックである。
【００３６】
対物レンズ７１には、溶着部７１ａ，７１ｂが設けられており、この溶着部７１ａ，７１ｂが、ファインダ枠７０に設けられた溶着面７０ａ，７０ｂに当接されて、レーザ光３５が対物レンズ７１側から溶着面７０ａ，７０ｂに照射される。これにより、図３と同様に溶接される。また、接眼レンズ７２も溶着部７２ａ，７２ｂが設けられており、同様にして、ファインダ枠７０の溶着面７０ｃ，７０ｄに溶着される。
【００３７】
なお、上記実施形態では、レンズ付きフイルムユニットにおいて、フイルムカウンタ窓に使用されるレンズ、化粧カバー、ファインダレンズ、及び撮影レンズの取付けについて説明したが、これに限るものではなく、レンズ付きフイルムユニットの構成部品を、レーザ光透過プラスチックで形成される部品とレーザ光吸収プラスチックで形成される部品で構成すれば、レーザ光によるプラスチック溶接が可能である。
【００３８】
また、上記実施形態では、レーザ光吸収プラスチックの溶着面に、レーザ光透過プラスチックを全面溶接するように説明したが、これに限るものではなく、溶接箇所を何点か決めて、スポット溶接で行っても良い。
【００３９】
さらに、上記実施形態では、レーザ光の照射により、不透明のレーザ光吸収プラスチックの溶着面のみが溶融されるように説明したが、レーザ光の照射時間を長くすることにより、不透明のレーザ光吸収プラスチックの溶着面だけではなく、透明または不透明のレーザ光透過プラスチックの接触面も溶融される。この場合、不透明のレーザ光吸収プラスチックの溶着面のみを溶融した場合よりも接着強度が増すので、高い接着強度が必要な場合に有効である。
【００４０】
【発明の効果】
以上のように、本発明のレンズ付きフイルムユニット及びその製造方法によれば、透明または半透明の部品を、表面に傷を付けることなく、不透明な部品に取付けることができる。また、部品取付けのために、係合爪、係合穴、及び溝等を部品に設ける必要がないので金型費用を安くすることができ、金型による成形時間も短くすることができるので、接着剤や特殊な部品を使用した場合と比較して製造コストを低減することが可能である。
【図面の簡単な説明】
【図１】本発明のレンズ付きフイルムユニットの外観斜視図である。
【図２】フイルムカウンタ窓の構成を示す斜視図である。
【図３】レーザ光によるプラスチック溶接の方法を示す外観斜視図である。
【図４】前カバー及び化粧カバーの構成を示す斜視図である。
【図５】レンズ枠及び撮影レンズの構成を示す斜視図である。
【図６】ファインダ枠及びファインダレンズの構成を示す斜視図である。
【符号の説明】
１０　レンズ付きフイルムユニット
１１　ユニット本体
１４　フイルムカウンタ窓
１６　撮影レンズ
３１　前カバー
３２　後カバー
３３　開口
３３ａ，３９ａ，３９ｂ，３９ｃ　溶着面
３４　球面レンズ
３５　レーザ光
５０　化粧カバー
６４　レンズ枠
７０　ファインダ枠
７０ａ，７０ｂ，７０ｃ，７０ｄ　溶着面
７１　対物レンズ
７１ａ，７１ｂ，７２ａ，７２ｂ　溶着部
７２　接眼レンズ
【図１】
2004020867.tif 000003
【図２】
2004020867.tif 000004
【図３】
2004020867.tif 000005
【図４】
2004020867.tif 000006
【図５】
2004020867.tif 000007
【図６】
2004020867.tif 000008